(57)【要約】【課題】圧接部材５が原稿固定ガラス２に貼り付いても前記弾性部材７に過度の変形や伸び、更には破断が生じることなく、前記圧接部材５を原稿固定ガラス２から持ち上げることが可能となる原稿押さえ装置及び画像読取装置を提供すること。【解決手段】原稿押さえ装置を原稿固定ガラス２から上方に開くと、圧接部材５から突設されるピン６ｂの先端に形成された係止部６ｃが原稿圧板４に形成された孔６ａの周囲に係止され圧接部材５が原稿圧板４に支持される。従って、圧接部材５が原稿固定ガラス２に貼り付いても、弾性部材７に過度の変形や伸び、更には破断を生じさせることなく、原稿押さえ装置を開閉することができる。【選択図】図1
2005070523.tif 000002
【特許請求の範囲】
【請求項１】
原稿を原稿読取部に密着させる原稿押さえ装置において、
原稿を前記原稿読取部に押圧する原稿圧板と、
原稿を前記原稿読取部に圧接させる圧接部材と、
前記圧接部材と前記原稿圧板とを対向配置し、
前記圧接部材と前記原稿圧板との間に介在する弾性部材と、
前記圧接部材を前記原稿圧板に対し近接離間可能に支持する支持手段と、を備えたことを特徴とする原稿押さえ装置。
【請求項２】
前記支持手段が前記原稿圧板又は前記圧接部材の少なくもいずれか一方に設けられた保持部と、
前記保持部をスライドするスライド部と、
前記スライド部に設けられ前記保持部に係止する係止部と、を有することを特徴とする請求項１に記載の原稿押さえ装置。
【請求項３】
前記支持手段が前記原稿圧板又は前記圧接部材の少なくもいずれか一方に穿孔された孔と、
前記孔を貫通する先端が拡径されたピンと、を有することを特徴とする請求項１に記載の原稿押さえ装置。
【請求項４】
前記弾性部材は前記圧接部材又は前記原稿圧板のいずれか一方に貼着されていることを特徴とする請求項１に記載の原稿押さえ装置。
【請求項５】
原稿を原稿読取部に密着させて原稿情報を読み取る画像読取装置において、請求項１乃至請求項４のいずれか一項記載の原稿押さえ装置と、前記原稿押さえ装置によって原稿読取部に密着された原稿を光学的に読み取る読取手段と、を有することを特徴とする画像読取装置。
【発明の詳細な説明】
【技術分野】
【０００１】
本発明は、複写機やファクシミリ等における原稿読取部に原稿を押さえつけるための原稿押さえ装置及びこれを備える画像読取装置に関すものである。
【背景技術】
【０００２】
従来、この種の画像読取装置は、図３に示すように、原稿が載置される固定ガラス２０と、該固定ガラス２０の下方に配置された読取ユニット３０と、原稿が前記固定ガラス２０から浮き上がらないように押さえつける原稿圧板４０と、該原稿圧板４０を画像読取装置本体に開閉自在に取付ける開閉手段８０と、を備えている。
【０００３】
同図（ａ）は原稿押さえ装置を開いた状態、同図（ｂ）は原稿押さえ装置を閉じた状態を示した図である。
【０００４】
前記原稿圧板４０には弾性部材７０を介して圧接部材５０が固定されている。前記原稿圧板４０は一般にＡＢＳ樹脂等の射出成型により一体的に成型されている。また、前記弾性部材７０には発泡ウレタン等のスポンジが使用されている。また、前記圧接部材５０には可撓性を有するポリプロピレン樹脂等が使用されている。前記弾性部材７０は、前記原稿圧板４０と前記圧接部材５０との双方に両面テープ等により貼着されている。
【０００５】
このような画像形成装置は、画像読取時には原稿を固定ガラス２０上に載置し、原稿圧板４０によって原稿を押さえつけるようする。そして、原稿圧板４０は、弾性部材７０と圧接部材５０とを押圧し、前記弾性部材７０の反発力により原稿全面を固定ガラス２０上に押さえつけて該原稿が固定ガラス２０上から浮き上がらないようにしている。
【０００６】
【特許文献１】特開２０００-３４７３１８号公報
【発明の開示】
【発明が解決しようとする課題】
【０００７】
しかしながら、原稿圧板４０又は圧接部材５０が成型時の製造条件等により反りや凹凸を有している場合があり、かかる場合に原稿が原稿固定ガラス２０上に載置されていない状態で原稿圧板４０を原稿固定ガラス２０に押し付けると、原稿固定ガラス２０と圧接部材５０の反り部分の間が真空状態となり、原稿固定ガラス２０上に圧接部材５０が吸盤のように貼り付いてしまう場合があった。また、原稿固定ガラス２０上に粘着材等が付着していても同様に圧接部材５０が貼り付いてしまう場合があった。
【０００８】
この状態から原稿圧板４０を開くと、圧接部材５０の貼り付き力による負荷が弾性部材７０に集中的にかかり、前記弾性部材７０の破断を引き起こす場合があった。この結果、前記圧接部材５０が前記原稿圧板４０から脱落してしまう場合があった。
【０００９】
図４は、このような問題点を説明した図であり、同図（ａ）は圧接部材に反りを有する原稿押さえ装置を開いた状態から閉じた状態、及び同図（ｂ）は圧接部材が原稿固定ガラスに貼り付いた状態から原稿押さえ装置を引き上げようとした瞬間の状態をそれぞれ示した図である。
【００１０】
更に、前記弾性部材７０の破断を引き起こさない場合でも、過度の変形や伸びは弾性部材を劣化させる原因となり、原稿圧板５０による原稿の浮き上がりを防止することが出来なくなる恐れがあった。
【００１１】
本発明は、上記の従来技術の課題を解決するためになされたもので、その目的とするところは、原稿圧板と圧接部材との間に介在し原稿圧板の反りの影響を受けることなく原稿を原稿固定ガラスに密着可能とする弾性部材の過度の変形や伸び、更には破断を防止して、常に圧接部材を原稿全面に密着させ、原稿の浮き上がりを防止することができる原稿押さえ装置及びこれを備えた画像読取装置を提供するものである。
【課題を解決するための手段】
【００１２】
上記目的を達成するために本発明にあっては、原稿を原稿読取部に密着させる原稿押さえ装置において、原稿を前記原稿読取部に押圧する原稿圧板と、原稿を前記原稿読取部に圧接させる圧接部材と、前記圧接部材と前記原稿圧板とを対向配置し、前記圧接部材と前記原稿圧板との間に介在する弾性部材と、前記圧接部材を前記原稿圧板に対し近接離間可能に支持する支持手段と、を備えたことを特徴とする。
【００１３】
本発明によれば、原稿読取時には、原稿圧板が圧接部材と弾性部材とを押圧し、前記弾性部材の反発力により圧接部材が原稿全面を原稿読取部に押し付けて、原稿が原稿読取部から浮き上がらないようにしている。
【００１４】
従って、原稿圧板又は圧接部材が成型時の製造条件等により反りや凹凸を有している場合であっても、弾性部材と圧接部材とにより、原稿全面を原稿読取部に密着させるので原稿の浮きを防止することができる。
【００１５】
また、前記圧接部材は前記原稿圧板に保持部材を用いて保持されているので、圧接部材が原稿読取部に貼り付くような状況下において、原稿圧板を原稿読取部から持ち上げて開いた場合には、前記保持部材が圧接部材の原稿読取部への貼り付き力に抗して前記圧接部材を原稿読取部から持ち上げるので、弾性部材に過度の変形や伸び、更には破断が生じることを防止することができる。
【００１６】
尚、前記保持部材は、前記圧接部材及び前期原稿圧板間に介在した前記弾性部材の押圧を可能としつつ、前記圧接部材が前記原稿圧板から分離することを防止できればどのような構成でもよく、例えば、前記圧接部材が可撓性を有している場合には、前記圧接部材と前記原稿圧板との間隔を一定に保ちつつ前記圧接部材を保持するよう構成した、例えば、スペーサを含む。
【００１７】
また、前記弾性体は前記圧接部材と前記原稿圧板との間の全面に介在していても良く、更に、その一部分に介在するものもでも良い。
【００１８】
前記原稿押さえ装置は、前記支持手段が前記原稿圧板又は前記圧接部材の少なくもいずれか一方に設けられた保持部と、前記保持部をスライドするスライド部と、前記スライド部に設けられ前記保持部に係止する係止部と、を有することを特徴とする。
【００１９】
このようにすれば、原稿読取時には、前記原稿圧板又は前記圧接部材の少なくもいずれか一方に設けられた前記保持部内を前記スライド部がスライドするので、圧接部材が弾性体の介在下で、原稿全面を原稿読取部に密着させることが出来る。また、前記スライド部に設けられた係止部が前記保持部に係止されるので、前記圧接部材が前記原稿圧板から分離することが防止され、弾性部材に過度の変形や伸び、更には破断が生じることを防止することができる。
【００２０】
尚、前記保持部と前記スライド部の形状はさまざまな形状が適用でき、例えば、保持部が円形の孔であり、スライド部が丸棒のものや、保持部が長方形の切り欠きであり、スラ
イド部がその切り欠きに対応した矩形状突起でも良い。
【００２１】
前記原稿押さえ装置は、前記支持手段が前記原稿圧板又は前記圧接部材の少なくもいずれか一方に穿孔された孔と、前記孔を貫通する先端が拡径されたピンと、を有することを特徴とする。
【００２２】
尚、前記ピンは圧接部材と一体に形成されていてもよく、また、圧接部材と別体に形成されたものを前記圧接部材に接着やねじ止め等により固定したものでも良い。
【００２３】
このようにすれば、支持手段をピンと穴との簡単な機構で、また部品点数の少なく安価な部材で構成することができ、小型で安価な原稿押さえ装置を提供することができる。
【００２４】
前記弾性部材は前記圧接部材又は前記原稿圧板のいずれか一方に接着されていることを特徴とする。
【００２５】
このようにすれば、弾性部材に過度の変形や伸び、更には破断が生じることを防止することができるとともに、前記弾性部材が前記圧接部材と前記原稿圧板との間に確実に挟持されることとなる。
【００２６】
また、本発明の画像読取装置は、上記原稿押さえ装置と、該原稿押さえ装置によって原稿読取部に密着された原稿を光学的に読み取る読取手段と、を有することを特徴とする。
【００２７】
このようにすれば、画像読取時には、原稿全面を原稿読取部に密着させて原稿の浮きを防止し確実に画像を読取ることが出来る。
【００２８】
また、前記圧接部材が原稿読取部に貼りついても前記弾性部材に過度の変形や伸び、更には破断が生じることなく、前記圧接部材を持ち上げることが可能となる。
【発明の効果】
【００２９】
以上説明したように、本発明は、原稿読取時には、原稿圧板が圧接部材と弾性部材とを押圧し、弾性部材の反発力により圧接部材が原稿全面を原稿固定ガラスに押し付けて、原稿が原稿固定ガラスから浮き上がらないよう密接される。従って、原稿圧板又は圧接部材が成型時の製造条件等により反りや凹凸を有している場合であっても、原稿全面を原稿固定ガラス面に有効に密着させて原稿の浮き上がりを防止することができる。また、圧接部材は原稿圧板に対して支持手段を用いて取付けられているので、原稿圧板と圧接部材とに介在している弾性部材に過度の変形や伸び、更には破断が生じることを防止することができる。
【発明を実施するための最良の形態】
【００３０】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３１】
（第１の実施の形態）
図１を参照して、第１の実施の形態に係る原稿押さえ装置が適用された画像読取装置について説明する。
【００３２】
図１は本発明による第１の実施の形態に係る原稿押さえ装置が適用された画像読取装置の構成を断面にして示した図である。同図（ａ）は原稿押さえ装置を開いた状態、同図（
ｂ）は原稿押さえ装置を閉じた状態、同図（ｃ）は原稿押さえ装置を開こうとした瞬間の状態を示した図である。
【００３３】
図１に示すように、本発明の画像読取装置は、画像読取装置本体の上面に原稿押さえ装置が開閉自在に配置されている。
【００３４】
図中、１は画像読取装置本体を示す。画像読取装置１は、同図に示すように、原稿が載置される原稿読取部であるところの原稿固定ガラス２、前記原稿固定ガラス２の下面に配置された読取手段として例えば読取ユニット３、を備えている。
【００３５】
前記読取ユニット３は、図示しない原稿に光を照射するＬＥＤまたはランプ等の光源、原稿からの反射光を取込むミラー及び該ミラーで反射させた光を受光するＣＣＤ等を有する読取機構等を一体化して構成されている。
【００３６】
次に、原稿押さえ装置について、更に詳細に説明する。
【００３７】
図１に示すように、本実施の形態に係る原稿押さえ装置は、原稿を原稿固定ガラス面に押圧する原稿圧板４、原稿を原稿固定ガラス面に圧接させるための圧接部材５、前記圧接部材５を前記原稿圧板４から近接又は離間可能に該原稿圧板４に支持する支持手段として例えば支持機構６、前記支持機構６を構成し前記原稿圧板４に穿設された保持部である孔６ａ、前記圧接部材５から突設され前記保持部６ａをスライドするスライド部６ｂ、前記スライド部６ｂの先端に設けられ前記スライド部６ｂの先端を前記保持部６ａに係止する係止部６ｃ、前記圧接部材５と前記原稿圧板４との間に介在される弾性部材７、前記原稿圧板４を前記原稿固定ガラス３に対して開閉する開閉機構８、を備えている。
【００３８】
前記原稿圧板４に穿設される孔６ａは、前記原稿圧板４の四隅に穿設されている。また、前記支持機構６を構成する例えばスライド部であるところのピン６ｂは、一端が前記圧接部材５に固定され、他端が前記孔６ａを貫通してその先端が拡径されて前記保持部６ａに係止される係止部６ｃを形成している。
【００３９】
前記原稿圧板４は、ＡＢＳ樹脂等を射出成型により一体的に成型される。
【００４０】
前記圧接部材５は、ポリプロピレン等の可撓性を有する樹脂が使用されている。尚、前記圧接部材５は、他の樹脂も用いることが出来るが原稿圧板４の反りや凹凸を吸収するように可撓性を有するものが望ましい。
【００４１】
前記弾性部材７は、発泡ウレタン等のスポンジが使用されている。そして、本実施の形態では、前記弾性部材７は、前記圧接部材５の周辺及び中心部分に対応して配置され、さらに前記圧接部材５側にのみに両面テープにより貼着されている。
【００４２】
尚、前記弾性部材７は、前記原稿圧板４と前記圧接部材７との間に介在していればよいので、前記原稿圧板４側に貼着されていても本実施の形態と同様の効果を得られる。更に、前記原稿圧板４又は前記圧接部材７のいずれにも貼着されていない構成でも良い。
【００４３】
前記原稿押さえ装置は、開閉機構８を介して開閉自在に画像読取装置本体１に取付けられる。
【００４４】
前記開閉機構８は、例えば、前記原稿圧板４の一端に配置されるヒンジ部材ケーシング９と、該ヒンジ部材ケーシング９内に配置されるヒンジ部材１０と、前記ヒンジ部材ケーシング９と前記ヒンジ部材１０とを回動自在に軸支するヒンジ軸１１と、を備えている。
また、前記ヒンジ部材ケーシング９内には付勢バネ１３が内蔵されている。
【００４５】
前記ヒンジ部材１０の下端はヒンジ足１０ａが設けられており、前記画像読取装置本体１の上部に形成されたヒンジ足受け１２に挿入され摺動可能に組み付けられている。
【００４６】
従って、前記原稿圧板４は、前記ヒンジ軸１１を中心として回動し、原稿固定ガラス２上を開閉することができる。また、前記原稿圧板４が原稿固定ガラス２上に閉じた状態では、図１（ｂ）に示すように前記付勢バネ１３が前記ヒンジ部材ケーシング９を押し上げるので、その押し上げ力により、原稿圧板４が原稿固定ガラス２に対して押し付けられ、原稿を原稿固定ガラス２に密着可能としている。
【００４７】
また、前記原稿圧板４を原稿固定ガラス２上から開く場合は、前記付勢バネ１３の所定の収縮範囲までは前記原稿圧板４を容易に開放できる。さらに、前記原稿圧板４を開放しようとすると付勢バネ１３の収縮が停止し、前記ヒンジ足１０ａがヒンジ足受け１２内から抜けるように上方に移動する。この時、ヒンジ足１０ａの上方への移動は前記原稿圧板４からの荷重を受けなら移動するので、前記原稿圧板４を開放させるために必要とする力は、急激に増大する。従って、使用者は、原稿圧板４の開閉角を越えたことを認識できる。また、この開閉角度を超えて原稿圧板４を開放しても開閉機構８に過負荷がかかることがない。
【００４８】
次に、上記の如く構成した原稿押さえ装置の開閉動作について図１を用いて説明する。
【００４９】
図１（ａ）に示すように、前記原稿圧板４が開いている状態では、前記ピン６ｂの係止部６ｃが前記孔６ａの周囲に引っかかり前記圧接部材５が前記原稿圧板４に支持されている。
【００５０】
前記原稿圧板４を原稿固定ガラス上に閉じると、図１（ｂ）に示すように前記ピン６ｂが前記孔６ａをスライドして前記圧接部材５と前記原稿圧板４との間隔が狭まり、その間に介在する弾性部材７が圧縮される。そして、前記弾性部材７の圧縮反発力が圧接部材５に伝わり原稿全体を原稿固定ガラス２に押し付けるので、原稿が固定ガラス２から浮き上がること無く密着される。
【００５１】
このため、前記原稿圧板４又は前記圧接部材５が製造条件等により反りや凹凸を有している場合であっても、前記原稿圧板４や前記圧接部材５の形状に倣うことなく、原稿全面を固定ガラス２に密着させるので原稿の浮きを防止することができる。
【００５２】
前記原稿圧板４を原稿固定ガラス２上から上方に開くと、図１（ｃ）に示すように、前記ピン６ｂが前記孔６ａ内をスライドして前記ピン６ｂの係止部６ｃが前記孔６ａの周囲に引っかかり前記圧接部材５が前記原稿圧板４に支持されつつ原稿固定ガラス２上から持ち上げられる。
【００５３】
この時に、上述のとおり、前記圧接部材５が前記原稿固定ガラス２に貼り付くような状態になっても、前記ピン６ｂの係止部６ｃが前記圧接部材５の固定ガラス面への貼り付き力に抗して前記圧接部材５を前記原稿固定ガラス２から持ち上げる。また、前記弾性部材７は前記圧接部材５側のみに貼着されているので、前記弾性部材７に過度の変形や伸び、更には破断が生じることは無い。
【００５４】
上記原稿押さえ装置を備えた画像読取装置での画像の読み込みは、原稿固定ガラス２上に載置された原稿の上に前記圧接部材５を被せて、原稿を原稿固定ガラス２上に密着させた後に、前記読取ユニット３の読取機構が固定ガラスの下面で原稿を走査しながら該読取
機構の前記ＬＥＤまたはランプ等により原稿に向けて光を照射して、原稿からの反射光をミラー及びＣＣＤで光学的に読み込むことにより行われる。
【００５５】
（第２の実施の形態）
本発明の第２の実施の形態を図２を用いて説明する。
【００５６】
図２は本発明による第２の実施の形態に係る原稿押さえ装置の構成を断面にして示した図であり、同図（ａ）は原稿押さえ装置を開いた状態、同図（ｂ）は原稿押さえ装置を閉じた状態を示した図である。
【００５７】
上記第１の実施の形態では、前記ピン６ｂは前記圧接部材５にビスなどで固定することにより取り付けられるが、第２の実施の形態では、ピン６ｂと圧接部材５とを一体に形成する構成とした。本実施の形態ではポリプロピレン等の可撓性を有する樹脂を用いて射出成型により一体に構成した。
【００５８】
その他の構成および作用については第１の実施の形態と同一なので、同一の構成部分については同一の符号を付して、その説明は省略する。
【図面の簡単な説明】
【００５９】
【図１】図１は本発明の第１の実施の形態に係る原稿押さえ装置が適用された画像読取装置の構成を断面にして示した図である。
【図２】図２は本発明の第２の実施の形態に係る原稿押さえ装置の構成を断面にして示した図である。
【図３】図３は従来の原稿押さえ装置が適用された画像読取装置の構成を断面にして示した図である。
【図４】図４は従来の原稿押さえ装置の構成を断面にして示した図である。
【符号の説明】
【００６０】
１  画像読取装置本体
２  原稿読取部（原稿固定ガラス）
３  読取ユニット
４  原稿圧板
５  圧接部材
６  支持機構（支持手段）
６ａ  保持部（孔）
６ｂ  スライド部（ピン）
６ｃ  係止部
７  弾性部材
【図１】
2005070523.tif 000003
【図２】
2005070523.tif 000004
【図３】
2005070523.tif 000005
【図４】
2005070523.tif 000006